(57)【特許請求の範囲】
【請求項１】
下手口部分と、この下手口部分の連続面のカフスの一部分であるカフスボタン取付け予定部分は、Ａ面用布地とＢ面用布地が重ねられて仕立てられ、  
上手口部分と、この上手口部分の連続面であるカフスの一部分のカフスボタン穴が開けられた部分と、この二箇所の部分の共通の連続面である筒袖下部の襞が取られた部分を加えた三箇所で構成される部分は、  
この三箇所で構成される部分のＡ面用布地で仕立てられた部分とＢ面用布地で仕立てられた部分が別々に仕立てられ、  
Ａ面用布地とＢ面用布地が重ねられて仕立てられた下手口部分とカフスの一部分であるカフスボタン取付け予定部分を、  
Ａ面用布地で仕立てられた部分とＢ面用布地で仕立てられた部分が別々に仕立てられた三箇所で構成される部分のうちの二箇所であるＡ面用布地で仕立てられた上手口部分とカフスの一部分であるカフスボタン穴が開けられた部分と、Ｂ面用布地で仕立てられた上手口部分とカフスの一部分であるカフスボタン穴が開けられた部分とで挟むことが可能に仕立てられた、リバーシブルシャツ。  
【請求項２】
請求項１に記載のリバーシブルシャツにおいて、  
衿台Ａ面用布地の左右両端と、衿台Ａ面用布地に重ねられた衿台Ｂ面用布地の左右両端に、同位置で同形の衿台左右ボタン穴が開けられ、  
上下前立Ａ面用布地と、上下前立Ａ面用布地に重ねられた上下前立Ｂ面用布地の所定の位置に、同位置で同形の上下前立ボタン穴が開けられ、  
衿台及び上下前立Ａ面用布地に開けられた各穴の縁と、衿台及び上下前立Ａ面用布地に重ねられた衿台及び上下前立Ｂ面用布地に開けられた各穴の縁が別々にかがられ、  
別々にかがられて形成された衿台及び上下前立Ａ面用布地穴かがり部分と、衿台及び上下前立Ｂ面用布地穴かがり部分とが離れて間に隙間が空けられ、  
空けられた隙間にボタンを隠すことが可能であると共に、ボタンを隙間からが取り出すことが可能に仕立てられた、リバーシブルシャツ。
【請求項３】
請求項１または請求項２に記載のリバーシブルシャツにおいて、  
下手口Ａ面用布地の下手口小ボタン取付け予定部分と、下手口Ａ面用布地に重ねられた下手口Ｂ面用布地の下手口小ボタン取付け予定部分に、同位置で同形の下手口小ボタン出し入れ穴が開けられ、  
カフスＡ面用布地のカフスボタン取付け予定部分と、カフスＡ面用布地に重ねられたカフスＢ面用布地のカフスボタン取付け予定部分に、同位置で同形のカフスボタン出し入れ穴が開けられ、  
下手口及びカフスＡ面用布地に開けられた各穴の縁と、下手口及びカフスＢ面用布地に開けられた各穴の縁が別々かがられ、
別々にかがられて形成された下手口及びカフスＡ面用布地穴かがり部分と下手口及びカフスＢ面用布地穴かがり部分とが離れて間に隙間が空けられ、  
空けられた隙間にボタンを隠すことが可能であると共に、ボタンを隙間から取り出すことが可能に仕立てられた、リバーシブルシャツ。
【請求項４】
請求項２または請求項３に記載のリバーシブルシャツにおいて、  
衿台左右ボタン穴と上下前立ボタン穴と下手口小ボタン出し入れ穴とカフスボタン出し入れ穴の、Ａ面用布地穴かがり部分とＢ面用布地穴かがり部分との間に開けられた隙間にボタン取付台が綴じ込まれ、  
ボタン取付台にボタンが取付けられた、リバーシブルシャツ。    
【請求項５】
請求項２または請求項３または請求項４に記載のリバーシブルシャツにおいて、  
下記（１）〜（８）のうち、少なくとも１つの方法で仕立てられた、リバ−シブルシャツ。  
（１）衿台各面用布地左右端の、衿台左右ボタン穴が開けられた部分の隣接部分であり、かつ、他の部分の連続面として縫合されない部分の、衿台Ａ面用布地縁と、衿台Ａ面用布地縁に重ねられた衿台Ｂ面用布地縁が重ねられて縫合される部分の一部が縫合されず、縫合されないことにより開けられる隙間から、衿台Ａ面用布地縁と、衿台Ａ面用布地縁に重ねられた衿台Ｂ面用布地縁との間に指が入るように仕立てる方法。
（２）衿台の、衿台各面用布地右端の衿台右ボタン穴が開けられた部分の下部と、下前立各面用布地上部とを連続面として縫合する部分の一部が縫合されず、縫合されないことにより開けられる隙間から、衿台Ａ面用布地と、衿台Ａ面用布地に重ねられた衿台Ｂ面用布地との間に指が入るように仕立てる方法。  
（３）上下前立の、上下前立各面用布地と上下前身頃各面用布地が連続面として縫合されない側で、上下前立ボタン穴が開けられた部分の隣接横部分であり、かつ、上下前立Ａ面用布地縁と上下前立Ａ面用布地縁に重ねられて縫合される上下前立Ｂ面用布地縁の一部が縫合されず、縫合されないことにより開けられる隙間から、上下前立Ａ面用布地縁と、上下前立Ａ面用布地縁に重ねられた上下前立Ｂ面用布地縁との間に指が入るように仕立てる方法。
（４）下前立の、下前立各面用布地と下前身頃各面用布地が連続面として縫合される部分であり、かつ、下前立ボタン穴が開けられた部分の隣接横部分の一部が縫合されず、縫合されないことにより開けられる隙間から、下前立Ａ面用布地と、下前立Ａ面用布地に重ねられた下前立Ｂ面用布地との間に指が入るように仕立てる方法。
（５）下手口の、下手口各面用布地と筒袖各面用布地が連続面として縫合されない側で、下手口小ボタン出し入れ穴が開けられた部分の隣接横部分であり、かつ、下手口Ａ面用布地縁と下手口Ａ面用布地縁に重ねられた下手口Ｂ面用布地縁が重ねられて縫合される部分の一部が縫合されず、縫合されないことにより開けられる隙間から、下手口Ａ面用布地縁と、下手口Ａ面用布地縁に重ねられた下手口Ｂ面用布地縁との間に指が入るように仕立てる方法。
（６）下手口の、下手口各面用布地と筒袖各面用布地が連続面として縫合される部分で、下手口小ボタン穴が開けられた部分の隣接横部分の一部が縫合されず、縫合されないことにより開けられる隙間から、下手口Ａ面用布地と下手口Ａ面用布地に重ねられた下手口Ｂ面用布地との間に指が入るように仕立てる方法。
（７）左右袖のカフスの、カフスボタン出し入れ穴が開けられた部分の隣接横部分であり、かつ、カフスＡ面用布地垂直縁と、カフスＡ面用布地垂直縁に重ねられて縫合されるカフスＢ面用布地垂直縁の一部が縫合されず、縫合されないことにより開けられる隙間から、カフスＡ面用布地垂直縁と、カフスＡ面用布地垂直縁に重ねられたカフスＢ面用布地垂直縁との間に指が入るように仕立てる方法。
（８）左右袖のカフスの、カフスボタン出し入れ穴が開けられた部分の下部であり、かつ、カフスＡ面用布地水平縁と、カフスＡ面用布地水平縁に重ねられたカフスＢ面用布地水平縁が重ねられて縫合される部分の一部が縫合されず、縫合されないことにより開けられる隙間から、カフスＡ面用布地水平縁と、カフスＡ面用布地水平縁に重ねられたカフスＢ面用布地水平縁との間に指が入るように仕立てる方法。  
【発明の詳細な説明】
【技術分野】
【０００１】
本発明は長袖のリバーシブルシャツに関するものである。詳しくは、男女兼用にもできて、複数のボタンを取り付けることができて、取り付けられた複数のボタンの中から必要なボタンを選択して使用できて、Ａ面を表にして着用しても、裏返してＢ面を表にして着用しても、外観上、自然で、違和感なく見える、長袖のリバーシブルシャツに関するものである。  
【背景技術】
【０００２】
男性用として市販されている長袖のリバーシブルシャツは、その構造自体が矛盾を含んでおり、表面を着用しても、裏返して裏面を着用しても、外観上、不自然さが見受けられる。  
【０００３】
男性用の一般的なシャツは、着用者から見て左が上前身頃であり、左の上前立に前立ボタン穴が開けられており、右の下前立に前立ボタンが取り付けられている。  
【０００４】
表面から裏返して裏面も着用する一般的な男性用のリバーシブルシャツの一例では、表面左の上前立の裏側の、前立ボタン穴が開けられた部分を避けた部分に、裏面用の前立ボタンが取付けられており、この裏面用前立ボタンに対応する裏面用前立ボタン穴が、表面右の下前立の、表面用前立ボタンが取付けられた部分を避けた部分に、開けられている。
【０００５】
前項記載のリバーシブルシャツでは、表面を着用する場合も、裏返して裏面を着用する場合も、衿台と前立の上部のボタンをはずして着用すると、反り返った衿台や前立上部に取り付けられた不要なボタンが見えることがあり、外観上、不自然で、違和感がある。  
【０００６】
同じく、一般的な長袖のリバーシブルシャツの他の例では、カフスの表面用ボタン穴が開けられた部分の他の端に、裏面用カフスボタン穴が開けられており、カフス裏面の、表面用カフスボタン穴が開けられた部分の隣接部分に、裏面用カフスボタンが取り付けられている。  
【０００７】
前項記載のリバーシブルシャツの裏面着用時に、裏面用カフスボタンを裏面用カフスボタン穴の、内側になった表面から外側になった裏面へ刺し通して着用すると、カフスのカフスボタン穴が開けられた部分とカフスのカフスボタンが取付けられた部分が重なる隙間と、この部分の上部の上手口と下手口の重なる部分（俗称アキミセ）が、着用者の前方を向く。  
【０００８】
同じく、一般的な長袖のリバーシブルシャツの他の例では、カフスの表面用カフスボタンが取付けられた真裏に、別のボタンが裏面用カフスボタンとして取り付けられ、カフスボタン穴は裏表共用とされている例もある。  
【０００９】
前項記載のリバーシブルシャツの裏面着用時に、表面用カフスボタンを、裏表共用のカフスボタン穴の、外側になった裏表共用カフスボタン穴裏面から内側になった裏表共用カフスボタン穴表面へ刺し通して留めると、裏面用カフスボタンは飾りボタンとなり、カフスのボタン穴が開けられた部分とボタン取付け部分の間の隙間と、この部分の上部である上手口と下手口の間の隙間（アキミセ）は着用者の前方を向く。
【００１０】
また、前記段落「０００８」記載のリバーシブルシャツの裏面着用時に、裏面用カフスボタンを、裏表共用のカフスボタン穴の内側になったカフス表面から外側になったカフス裏面へ刺し通して着用すると、カフスのボタン穴が開けられた部分とカフスのボタン取付け部分の重なる隙間は着用者の後方を向くが、この部分の上部の上手口と下手口の間（アキミセ）が捻れて重ならない。  
【００１１】
長袖のリバーシブルシャツはその構造自体が矛盾を含んでおり、表面から裏返して裏面を着用しても、外観上、自然で、違和感なく見える、長袖のリバーシブルシャツは、現在、市販のものでは見当たらない。  
【００１２】
特許文献１に記載された表裏両用シャツのボタンは、表裏両用で、特殊なボタンが使われている。
ボタンをなくすとシャツの前立部分を留めることができない。  
【００１３】
特許文献２に記載されたリバーシブルウェアの片面の衿台天ボタンは飾りボタンであり、前立部分は隠しボタンで、カジュアル面用とフォーマル面用の前立ボタンの位置をずらして取り付けられている。  
【先行技術文献】
【特許文献】
【００１４】
【特許文献１】実開平２−２９４０２号公報
【特許文献２】実用新案登録第３１３３０８１号公報
【発明の概要】
【発明が解決しようとする課題】
【００１５】
しかし、特許文献１に記載された表裏両用シャツ、及び、特許文献２に記載されたリバーシブルウェアは依然として、裏返して裏面を着用したときに、外観上、不自然で、違和感がある。  
【００１６】
さらには、特許文献１、及び、特許文献２、記載の発明は共に長袖ではない。
市販のリバーシブルシャツを表面から裏返して裏面を着用した場合、段落「０００５」、「０００７」、「０００９」、「００１０」、記載のようになり、結果、外観上、不自然で、違和感がある。  
【００１７】
これらの課題を解決し、表面「Ａ面」から裏面「Ｂ面」へ裏返して着用しても、外観上、自然であり、違和感なく見える、今までにない、長袖のリバーシブルシャツを提供することを目的とする。  
尚、表示の都合上、本明細書では、「表面」、「裏面」、の表示ではなく、「Ａ面」、「Ｂ面」、と表示する。  
【００１８】
添付の概略図の各番号の後の「Ａ」、の表示は、「Ａ面」、または、「Ａ面用ボタン」、を表し、「Ｂ」、の表示は、「Ｂ面」、または、「Ｂ面用ボタン」を表す。  
【課題を解決するための手段】
【００１９】
上記の目的を達成するために、本発明のリバーシブルシャツは、下手口部分と、この下手口部分の連続面のカフスの一部分であるカフスボタン取付け予定部分は、Ａ面用布地とＢ面用布地が重ねられて仕立てられ、上手口部分と、この上手口部分の連続面であるカフスの一部分のカフスボタン穴が開けられた部分と、この二箇所の部分の共通の連続面である筒袖下部の襞が取られた部分を加えた三箇所で構成される部分は、この三箇所で構成される部分のＡ面用布地で仕立てられた部分とＢ面用布地で仕立てられた部分が別々に仕立てられ、Ａ面用布地とＢ面用布地が重ねられて仕立てられた下手口部分とカフスの一部分であるカフスボタン取付け予定部分を、Ａ面用布地で仕立てられた部分とＢ面用布地で仕立てられた部分が別々に仕立てられた三箇所で構成される部分のうちの二箇所である、Ａ面用布地で仕立てられた上手口部分とカフスの一部分であるカフスボタン穴が開けられた部分と、Ｂ面用布地で仕立てられた上手口部分とカフスの一部分であるカフスボタン穴が開けられた部分とで挟むことが可能に仕立てられたものである。  
【００２０】
また、本発明のリバーシブルシャツは、衿台Ａ面用布地の左右両端と、衿台Ａ面用布地に重ねられた衿台Ｂ面用布地の左右両端に、同位置で同形の衿台左右ボタン穴が開けられ、上下前立Ａ面用布地と、上下前立Ａ面用布地に重ねられた上下前立Ｂ面用布地の所定の位置に、同位置で同形の上下前立ボタン穴が開けられ、衿台及び上下前立Ａ面用布地に開けられた各穴の縁と、衿台及び上下前立Ａ面用布地に重ねられた衿台及び上下前立Ｂ面用布地に開けられた各穴の縁が別々にかがられ、別々にかがられて形成された衿台及び上下前立Ａ面用布地穴かがり部分と、衿台及び上下前立Ｂ面用布地穴かがり部分とが離れて間に隙間が空けられ、空けられた隙間にボタンを隠すことが可能であると共に、ボタンを隙間からが取り出すことが可能に仕立てられたものとすることができる。  
【００２１】
また、本発明のリバーシブルシャツは、下手口Ａ面用布地の下手口小ボタン取付け予定部分と、下手口Ａ面用布地に重ねられた下手口Ｂ面用布地の下手口小ボタン取付け予定部分に、同位置で同形の下手口小ボタン出し入れ穴が開けられ、カフスＡ面用布地のカフスボタン取付け予定部分と、カフスＡ面用布地に重ねられたカフスＢ面用布地のカフスボタン取付け予定部分に、同位置で同形のカフスボタン出し入れ穴が開けられ、下手口及びカフスＡ面用布地に開けられた各穴の縁と、下手口及びカフスＢ面用布地に開けられた各穴の縁が別々かがられ、別々にかがられて形成された下手口及びカフスＡ面用布地穴かがり部分と下手口及びカフスＢ面用布地穴かがり部分とが離れて間に隙間が空けられ、空けられた隙間にボタンを隠すことが可能であると共に、ボタンを隙間から取り出すことが可能に仕立てられたものとすることができる。  
【００２２】
また、本発明のリバーシブルシャツは、衿台左右ボタン穴と上下前立ボタン穴と下手口小ボタン出し入れ穴とカフスボタン出し入れ穴の、Ａ面用布地穴かがり部分とＢ面用布地穴かがり部分との間に開けられた隙間にボタン取付台が綴じ込まれ、ボタン取付台にボタンが取付けられたものとすることができる。    
【００２３】
また、本発明のリバーシブルシャツは、下記（１）〜（８）のうち、少なくとも１つの方法で仕立てられたものとすることができる。  
（１）衿台各面用布地左右端の、衿台左右ボタン穴が開けられた部分の隣接部分であり、かつ、他の部分の連続面として縫合されない部分の、衿台Ａ面用布地縁と、衿台Ａ面用布地縁に重ねられた衿台Ｂ面用布地縁が重ねられて縫合される部分の一部が縫合されず、縫合されないことにより開けられる隙間から、衿台Ａ面用布地縁と、衿台Ａ面用布地縁に重ねられた衿台Ｂ面用布地縁との間に指が入るように仕立てる方法。
（２）衿台の、衿台各面用布地右端の衿台右ボタン穴が開けられた部分の下部と、下前立各面用布地上部とを連続面として縫合する部分の一部が縫合されず、縫合されないことにより開けられる隙間から、衿台Ａ面用布地と、衿台Ａ面用布地に重ねられた衿台Ｂ面用布地との間に指が入るように仕立てる方法。  
（３）上下前立の、上下前立各面用布地と上下前身頃各面用布地が連続面として縫合されない側で、上下前立ボタン穴が開けられた部分の隣接横部分であり、かつ、上下前立Ａ面用布地縁と上下前立Ａ面用布地縁に重ねられて縫合される上下前立Ｂ面用布地縁の一部が縫合されず、縫合されないことにより開けられる隙間から、上下前立Ａ面用布地縁と、上下前立Ａ面用布地縁に重ねられた上下前立Ｂ面用布地縁との間に指が入るように仕立てる方法。
（４）下前立の、下前立各面用布地と下前身頃各面用布地が連続面として縫合される部分であり、かつ、下前立ボタン穴が開けられた部分の隣接横部分の一部が縫合されず、縫合されないことにより開けられる隙間から、下前立Ａ面用布地と、下前立Ａ面用布地に重ねられた下前立Ｂ面用布地との間に指が入るように仕立てる方法。
（５）下手口の、下手口各面用布地と筒袖各面用布地が連続面として縫合されない側で、下手口小ボタン出し入れ穴が開けられた部分の隣接横部分であり、かつ、下手口Ａ面用布地縁と下手口Ａ面用布地縁に重ねられた下手口Ｂ面用布地縁が重ねられて縫合される部分の一部が縫合されず、縫合されないことにより開けられる隙間から、下手口Ａ面用布地縁と、下手口Ａ面用布地縁に重ねられた下手口Ｂ面用布地縁との間に指が入るように仕立てる方法。
（６）下手口の、下手口各面用布地と筒袖各面用布地が連続面として縫合される部分で、下手口小ボタン穴が開けられた部分の隣接横部分の一部が縫合されず、縫合されないことにより開けられる隙間から、下手口Ａ面用布地と下手口Ａ面用布地に重ねられた下手口Ｂ面用布地との間に指が入るように仕立てる方法。
（７）左右袖のカフスの、カフスボタン出し入れ穴が開けられた部分の隣接横部分であり、かつ、カフスＡ面用布地垂直縁と、カフスＡ面用布地垂直縁に重ねられて縫合されるカフスＢ面用布地垂直縁の一部が縫合されず、縫合されないことにより開けられる隙間から、カフスＡ面用布地垂直縁と、カフスＡ面用布地垂直縁に重ねられたカフスＢ面用布地垂直縁との間に指が入るように仕立てる方法。
（８）左右袖のカフスの、カフスボタン出し入れ穴が開けられた部分の下部であり、かつ、カフスＡ面用布地水平縁と、カフスＡ面用布地水平縁に重ねられたカフスＢ面用布地水平縁が重ねられて縫合される部分の一部が縫合されず、縫合されないことにより開けられる隙間から、カフスＡ面用布地水平縁と、カフスＡ面用布地水平縁に重ねられたカフスＢ面用布地水平縁との間に指が入るように仕立てる方法。  
【発明の効果】
【００２４】
本発明のリバーシブルシャツは、Ａ面を表にして着用してもＢ面を表にして着用しても、外観上、自然であり、違和感がない。
【図面の簡単な説明】
【００２５】
【図１】本発明のリバーシブルシャツのＡ面を示す概略図である。
【図２】本発明のリバーシブルシャツのＢ面を示す概略図である。
【図３】本発明のリバーシブルシャツのＡ面衿部分を拡大した概略図である。
【図４】本発明のリバーシブルシャツのＢ面衿部分を拡大した概略図である。
【図５】本発明のリバーシブルシャツの左袖Ａ面筒袖部分と、その下部の下手口小ボタンとカフスボタンが、各ボタン穴に留められた状態が拡大された概略図である。
【図６】本発明のリバーシブルシャツの左袖Ａ面の下手口小ボタンとカフスボタンがはずされて、この部分が一部開かれた状態で、アキミセが矢印で示された概略図である。
【図７】本発明のリバーシブルシャツの、左袖の上手口と下手口とカフスの各部分のＡ面とＢ面の仕上がりが示され、アキミセが矢印で示された概略図である。
【図８】本発明のリバーシブルシャツの、左袖Ａ面が裏返されて右袖Ｂ面となり、右袖Ｂ面の上手口とカフスが一部開かれた状態と、アキミセが矢印で示された概略図である。
【図９】本発明のリバーシブルシャツの右袖Ｂ面の一部が開かれて、上手口と下手口とカフス部分の状態と、アキミセが着用者の後方を向くことが示された概略図である。
【図１０】本発明のリバーシブルシャツの右袖Ｂ面筒袖部分と、その下部の下手口小ボタンとカフスボタンが、各ボタン穴に留められた状態が拡大された概略図である。
【図１１】本発明のリバーシブルシャツの、衿台左右ボタン穴部分と上下前立ボタン穴部分の、各面布地穴かがり部分の間に綴じ込まれたボタン取付台と取付けられた複数のボタンが、破線で示され、隣接部分の一部のボタン選択穴が示された概略図である。
【図１２】本発明のリバーシブルシャツの長袖部分の、一部のボタン選択穴と、下手口小ボタン出し入れ穴とカフスボタン出し入れ穴の各面布地穴かがり部分の間に綴じ込まれたボタン取付台と複数の隠されたボタンが破線で示され、アキミセが矢印で示された概略図である。
【発明を実施するための形態】
【００２６】
以下、本発明のリバーシブルシャツを、図面を参照しながら説明する。  
男性用の、着用者から見て左が上前身頃となる仕立てで以下を説明する。
説明の都合上、連続する工程が連続して記載されない場合もあるし、連続しない工程が連続して記載される場合もある。
【００２７】
本発明のリバーシブルシャツ１の、上手口２３とカフス２７の一部分であるカフスボタン穴２８が開けられた部分と筒袖２１の下部の襞がとられた部分の計三箇所で構成される部分は、Ａ面用布地とＢ面用布地を重ねた仕立てがなされず、Ａ面用布地で仕立てられた部分とＢ面用布地で仕立てられた部分が別々に仕立てられる。（図６、図７、図８、図９、参照。）  
【００２８】
前項記載の部分以外は、リバーシブルシャツ１は、Ａ面用布地とＡ面用布地に重ねられたＢ面用布地で仕立てられ、完成後、Ａ面を表にして着用しても、裏返してＢ面を表にして着用しても、各面のポケットの位置、形、および、大きさ、並びに、布地とボタンの色柄以外は、Ａ面とＢ面が、同形で、同様に見えて、外観上、自然で、違和感なく見えるように仕立てられる。（図１、図２、図５、図１０、参照。）  
【００２９】
Ａ面用布地と、Ｂ面用布地と、各部分用の、Ａ面用ボタンと、Ｂ面用ボタンと、着用者に合わせた複数のその他のボタンと、後述する各ボタン穴（５、８、１４、１８）及び各ボタン出し入れ穴（３０、３１）の幅の二分の一くらいの幅の、薄くて丈夫な細帯状の布を用意する。  
【００３０】
用意されたＡ面用布地とＢ面用布地は、リバーシブルシャツ１の各部分の形に縫い代を取って、裁断される。  
【００３１】
Ａ面用布地とＢ面用布地が裁断されて作られ、衿台３として仕立てられるＡ面用布地と、Ａ面用布地に重ねられて衿台３として仕立てられるＢ面用布地の左右の端に、衿台左右ボタン穴（５、８）が、リバーシブルシャツ１の完成後、Ａ面を表にして着用しても、裏返してＢ面を表にして着用しても、同位置で同形となるように、この部分に使用するボタンのサイズより少し大きく、開けられる。（図３、図４、参照。）  
【００３２】
Ａ面用布地とＢ面用布地が裁断されて作られ、上下前立（１３、１７）として仕立てられるＡ面用布地と、Ａ面用布地に重ねられて上下前立（１３、１７）として仕立てられるＢ面用布地の適宜な位置に、上下前立ボタン穴（１４、１８）が、リバ−シブルシャツ１の完成後、Ａ面を表にして着用しても、裏返してＢ面を表にして着用しても、同位置で同形となるように、この部分に使用するボタンのサイズより少し大きく、開けられる。（図１、図２、図３、図４、参照。）  
【００３３】
Ａ面用布地とＢ面用布地が裁断されて作られ、下手口２５として仕立てられるＡ面用布地の下手口小ボタン２６取付け予定部分と、Ａ面用布地に重ねられて下手口２５として仕立てられるＢ面用布地の下手口小ボタン２６取り付け予定部分に、下手口小ボタン出し入れ穴３０が、リバーシブルシャツ１の完成後、Ａ面を表にして着用しても、裏返してＢ面を表にして着用しても、同位置で同形となるように、この部分に使用するボタンのサイズより少し大きく、開けられる。（図６、図７、図８、参照。）  
【００３４】
Ａ面用布地とＢ面用布地が裁断されて作られ、カフス２７として仕立てられるＡ面用布地のカフスボタン２９取付け予定部分と、Ａ面用布地に重ねられてカフス２７として仕立てられるＢ面用布地のカフスボタン２９取付け予定部分に、カフスボタン出し入れ穴３１が、リバーシブルシャツ１の完成後、Ａ面を表にして着用しても、裏返してＢ面を表にして着用しても、同位置で同形となるように、この部分に使用するボタンのサイズより少し大きく、開けられる。（図６、図７、図８、参照。）
【００３５】
衿台左右ボタン穴（５、８）と、上下前立ボタン穴（１４、１８）と、下手口小ボタン出し入れ穴３０と、カフスボタン出し入れ穴３１の、各穴が開けられたＡ面用布地穴縁と、Ａ面用布地穴縁に重ねられたＢ面用布地穴縁が別々にかがられ、各穴縁が別々にかがられて形成された各部分のＡ面用布地穴かがり部分と、Ａ面用布地穴かがり部分に重ねられたＢ面用布地穴かがり部分とが離れて、間に隙間が空くように仕立てられる。（図示せず。）  
【００３６】
前述の、各穴縁が別々にかがられて形成されたＡ面用布地穴かがり部分と、Ａ面用布地穴かがり部分に重ねられて形成されたＢ面用布地穴かがり部分との間に空けられた隙間に、用意された細帯状の布が、適当な長さに切られて、１枚、または複数枚、山形、横山形、あるいは逆山形に、折り返されて、ボタン取付台３２として綴じ込まれる。（図１１、図１２、参照。）  
【００３７】
衿台左右ボタン穴（５、８）の、別々にかがられて形成されたＡ面用布地穴かがり部分と、Ａ面用布地穴かがり部分に重ねられて形成されたＢ面用布地穴かがり部分との間に開けられた隙間に綴じこまれるボタン取付台３２は、山型に折り返された稜線が同穴に届く長さとし、山裾の部分は、上下前立（１３、１７）上部の合致する部分のＡ面用布地と、Ａ面用布地に重ねられたＢ面用布地との間に挟まれて、同部分に縫合される。（図示せず。）  
【００３８】
同じく、上下前立ボタン穴（１４、１８）の、別々にかがられて形成されたＡ面用布地穴かがり部分と、Ａ面用布地穴かがり部分に重ねられて形成されたＢ面用布地穴かがり部分との間に空けられた隙間に綴じ込まれるボタン取付台３２は、横山型に折り返された稜線が同穴に届く長さとし、山裾の部分は、上下前身頃（１２、１６）の合致する部分のＡ面用布地と、Ａ面用布地に重ねられたＢ面用布地との間に挟まれて、同部分に縫合される。（図示せず。）
【００３９】
同じく、下手口小ボタン出し入れ穴３０の、別々にかがられて形成されたＡ面用布地穴かがり部分とＡ面用布地穴かがり部分に重ねられて形成されたＢ面用布地穴かがり部分との間に開けられた隙間に綴じ込まれるボタン取付台３２は、横山形に折り返された稜線が同穴に届く長さとし、山裾の部分は、筒袖２１の合致する部分のＡ面用布地と、Ａ面用布地に重ねられたＢ面用布地との間に挟まれて、同部分に縫合される。（図示せず。）  
【００４０】
同じく、カフスボタン出し入れ穴３１の、別々にかがられて形成されたＡ面用布地穴かがり部分と、Ａ面用布地穴かがり部分に重ねられて形成されたＢ面用布地穴かがり部分との間に空けられた隙間に綴じ込まれるボタン取付台３２は、逆山型に折り返された稜線が同穴に届く長さとし、山裾の部分は、下手口下部と筒袖下部の合致する部分のＡ面用布地と、Ａ面用布地に重ねられたＢ面用布地との間に挟まれて、同部分に縫合される。（図示せず。）
【００４１】
上手口小ボタン穴２４とカフスボタン穴２８以外の、各ボタン穴（５、８、１４、１８）、及び、各ボタン出し入れ穴（３０、３１）の、Ａ面用布地穴かがり部分と、Ａ面用布地穴かがり部分に重ねられて形成されたＢ面用布地穴かがり部分との間に空けられた隙間に綴じ込まれた各部分のボタン取付台３２に、各部分用のＡ面用ボタンと、Ｂ面用ボタンと、着用者に合わせたその他の複数のボタンが、繋ぎ代をとって取付けられる。（図１１、図１２、参照。）  
【００４２】
本発明のリバーシブルシャツ１の衿羽２部分は、着用面がＡ面からＢ面へ、あるいはＢ面からＡ面へ、裏返して着用されるときに折り返されるので、衿台３のＡ面と衿羽２のＢ面が連続面として連なる様に仕立てられ、同じく、衿台３のＢ面と衿羽２のＡ面が連続面として連なる様に仕立てられる。（図１、図２、図３、図４、参照。）  
【００４３】
衿台３以下の部分は、衿台３のＡ面の連続面としてヨーク１０のＡ面と、上下前身頃（１２、１６）のＡ面と、上下前立（１３、１７）のＡ面が連なり、後部は、ヨーク１０のＡ面に後身頃１１のＡ面が連なり、左右の筒袖２１のＡ面が連なり、上手口２３、下手口２５、カフス２７、の各部分のＡ面が連なる。（図１、図２、図３、図４、参照。）  
【００４４】
同様に、衿羽２以外の各部分のＢ面が、襟台３のＢ面の連続面として、連なるように仕立てられる。（図１、図２、図３、図４、参照。）  
【００４５】
筒袖２１下部の襞がとられた部分と、上手口２３と、カフス２７の一部分であるカフスボタン穴２８が開けられた部分の計三箇所で構成された部分は、Ａ面用布地で仕立てられた部分とＢ面用布地で仕立てられた部分が別々に仕立てられる。（図６、図７、図８、図９、参照。）  
【００４６】
下手口２５とカフス２７の一部分であるカフスボタン出し入れ穴３１が開けられた部分は、Ａ面用布地で仕立てられた部分とＢ面用布地で仕立てられた部分が重ねられて仕立てられる。（図６、図７、図８、図９、参照。）  
【００４７】
前記段落「００４６」記載の、Ａ面用布地で仕立てられた部分とＢ面用布地で仕立てられた部分とが重ねられて仕立てられた下手口２５とカフス２７の一部分であるカフスボタン出し入れ穴３１が開けられた部分を、前記段落「００４５」記載の、Ａ面用布地で仕立てられた部分とＢ面用布地で仕立てられた部分が別々にしたてられた三箇所のうちの二箇所である上手口２３部分とカフス２７の一部分であるカフスボタン穴２８が開けられた部分のＡ面部分とＢ面部分で、挟むことが可能な形に仕立てられる。（図６、図７、図８、図９、参照。）  
【００４８】
上手口２３は、Ａ面用布地とＢ面用布地が重ねられず、別々に仕立てられるので、上手口２３Ａ面用布地に開けられた上手口小ボタン穴２４と上手口２３Ｂ面用布地に開けられた上手口小ボタン穴２４は、この部分に使用されるボタンのサイズより少し大きく、別々に開けられて、各穴の縁が別々にかがられる。（図６、図７、図８、参照。）  
【００４９】
同じく、カフス２７の一部分であるカフスボタン穴２８が開けられた部分は、カフス２７Ａ面用布地とカフス２７Ｂ面用布地が重ねられず、別々に仕立てられるので、カフス２７Ａ面用布地に開けられたカフスボタン穴２８とカフス２７Ｂ面用布地に開けられたカフスボタン穴２８は、この部分に使用されるボタンのサイズより少し大きく、別々に開けられて、各穴の縁が別々にかがられる。（図６、図７、図８、図９、参照。）
【００５０】
次項以下に記載されるボタン選択穴３３は、前述の各部分に綴じ込まれたボタン取付台３２に取り付けられた複数のボタンに指が届き、必要なボタンを取り出す作業がやすくなるように、以下に記載されるように開けられる。（図１１、図１２、参照。）
【００５１】
衿台左右（４、７）端の、衿台左右ボタン穴（５、８）が開けられた部分の隣接の、他の部分との連続面として縫合されない部分であり、かつ、同部分のＡ面用布地縁とＡ面用布地縁に重ねられたＢ面用布地縁が重ねられて縫合される部分の一部が縫合されず、縫合されないことにより開けられる隙間に指を入れることができるように仕立てられ、ボタン選択穴３３として開けられる。（図１１参照。）  
【００５２】
衿台右７各面下部と下前立１７各面の上部が、それぞれの連続面として縫合される工程において、衿台右７各面の、衿台右ボタン穴８が開けられた部分の下部と、下前立１７各面の上部が、それぞれの連続面として縫合される部分の一部分が縫合されず、縫合されないことにより開けられる隙間に指を入れることができるように仕立てられ、ボタン選択穴３３として開けられる。（図示せず。）  
【００５３】
上下前立（１３、１７）の、上下前立（１３、１７）各面と上下前身頃（１２、１６）の各面が、それぞれの連続面として縫合される部分ではない側であり、かつ、上下前立ボタン穴（１４、１８）が開けられた部分の隣接横部分の、Ａ面用布地縁とＡ面用布地縁に重ねられたＢ面用布地縁が重ねられて縫合される部分の一部が縫合されず、縫合されないことにより開けられる隙間に指を入れることができるように仕立てられ、ボタン選択穴３３として開けられる。（図１１参照。）
【００５４】
下前身頃１６各面と下前立１７の各面が、それぞれの連続面として縫合される工程において、下前身頃１６各面と下前立１７の各面がそれぞれの連続面として縫合される部分の一部であり、かつ、下前立１７の下前立ボタン穴１８が開けられた部分の隣接横部分の一部が縫合されず、縫合されないことにより開けられる隙間に指を入れることができるように仕立てられ、ボタン選択穴３３として開けられる。（図示せず。）  
【００５５】
下手口２５の、下手口２５各面と筒袖２１の各面とが、それぞれの連続面として縫合される部分ではない側であり、かつ、下手口小ボタン出し入れ穴３０が開けられた部分の隣接横部分の、下手口Ａ面用布地縁と下手口Ａ面用布地縁に重ねられた下手口Ｂ面用布地縁が縫合される部分の一部が縫合されず、縫合されないことにより開けられる隙間に指を入れることができるように仕立てられ、ボタン選択穴３３として開けられる。（図１２参照。）
【００５６】
下手口２５の、下手口２５各面と筒袖２１の各面とがそれぞれの連続面として縫合される部分であり、かつ、下手口小ボタン出し入れ穴３０が開けられた部分の隣接横部分の一部が縫合されず、縫合されないことにより開けられる隙間に指を入れることができるように仕立てられ、ボタン選択穴３３として開けられる。（図示せず。）
【００５７】
カフス２７の一部分であるカフスボタン出し入れ穴３１が開けられた部分の隣接横部分の、カフスＡ面用布地垂直縁とカフスＡ面用布地垂直縁に重ねられたカフスＢ面用布地垂直縁とが重ねられて縫合される部分の一部分が縫合されず、縫合されないことにより開けられる隙間に指を入れることができるように仕立てられ、ボタン選択穴３３として開けられる。（図１２参照。）
【００５８】
カフス２７の一部分であるカフスボタン出し入れ穴３１が開けられた部分の下部の、カフスＡ面用布地水平縁と、カフスＡ面用布地水平縁に重ねられたカフスＢ面用布地水平縁とが重ねられて縫合される部分の一部が縫合されず、縫合されないことにより開けられる隙間に指を入れることができるように仕立てられ、ボタン選択穴３３として開けられる。（図示せず。）
【００５９】
各ボタン穴（５、８、１４、１８）、及び、各ボタン出し入れ穴（３０、３１）の隣接部分に開けられたボタン選択穴３３は、開けられた各部分のＡ面用布地縁とＡ面用布地縁に重ねられたＢ面用布地縁の間から、なかに取付けられたボタンが見えて見苦しい場合は、ボタン選択穴３３が開けられた各部分のＡ面用布地内縁とＡ面用布地内縁に重ねられたＢ面用布地内縁に面ファスナーが取付けられ、閉ることができるようにして隠されてもよい。（図示せず。）
【００６０】
前記の各ボタン穴（５、８、１４、１８）、及び、各ボタン出し入れ穴（３０、３１）の隣接部分に開けられたボタン選択穴３３は、各ボタン穴（５、８、１４、１８）と各ボタン出し入れ穴（３０、３１）の隣接部分の一箇所に開けられてもよいし、二箇所に開けられてもよいし、必ずしも開けられなくてもよい。  
【００６１】
リバーシブルシャツ１が子供用として仕立てられる場合、前記のボタン選択穴３３は、各ボタン穴（５、８、１４、１８）及び各ボタン出し入れ穴（３０、３１）が開けられた部分の隣接部分の一箇所に開けられてもよいし、二箇所に開けられてもよい。
【００６２】
前記段落「００４５」記載の三箇所の内の一箇所である筒袖２１の下部の襞がとられた部分は、Ａ面とＢ面が別々に仕立てられ、この部分は頻繁に開閉されると思われるので、この部分のＡ面用布地裏側とＢ面用布地裏側は、図６、図７、図８、に示されるように、薄くて丈夫な筒袖襞裏補強布地２２を取付けてもよい。（図６、図７、図８、参照。）  
【００６３】
この筒袖襞裏補強布地２２に、サイズ、品質、メーカー、洗濯注意書、等、を示すタグが取付けられてもよいし、着用者のネーム刺繍が入れられてもよいし、筒袖襞裏補強布地２２自体が、高品質であり、高級感を感じさせ、メーカーやブランドを象徴する色柄の布地が使用されてもよい。（図６、図７、図８、図９、参照。）  
【００６４】
前記段落「００４５」、「００４６」、「００４７」記載の仕立てにより、リバーシブルシャツ１は、Ａ面とＢ面の、どちらを表にして着用しても、上手口２３と下手口２５の間の隙間（アキミセ３４）の向きと、カフス２７の一部分であるカフスボタン出し入れ穴３１があけられた部分とカフス２７の一部分であるカフスボタン穴２８が開けられた部分とが重なる部分の隙間が、着用者の後ろを向く仕立てとなる。（図５、図６、図７、図８、図９、図１０、参照。）
【００６５】
図１に示されるリバーシブルシャツ１の、Ａ面が表の状態から裏返されて図２のＢ面が表の状態に変わる場合、左右の筒袖２１部分が入れ替わり、左筒袖２１Ａ面（図５参照。）が、右筒袖２１Ｂ面（図１０参照。）へ変わる。  
この一連の形態が、（図５、図６、図７、図８、図９、図１０）にて示される。
【００６６】
衿台左右ボタン穴（５、８）と上下前立ボタン穴（１４、１８）と下手口小ボタン出し入れ穴３０とカスボタン出し入れ穴３１が各面布地に開けられ、開けられた各穴（５、８、１４、１８）と各ボタン出し入れ穴（３０、３１）の穴縁が各面別々にかがられ、別々にかがれた穴かがり部分の間に空けられた隙間に綴じ込まれたボタン取付台３２に複数のボタンが取付けられる。（図１１、図１２、参照。）
【００６７】
各図に示された本発明のリバーシブルシャツ１は男性用として仕立てられたものである。従って、本発明のリバーシブルシャツ１が女性用として仕立てられる場合は、女性の着用者から見て右側が上前身頃と上前立となり、左側が、それぞれ、下前身頃と下前立になる。  
【００６８】
同じく、リバーシブルシャツ１が女性用として仕立てられる場合、段落「００５２」記載の衿台右と衿台右ボタン穴は、それぞれ、衿台左と衿台左ボタン穴となる。
サイズも小型になるが、体型が合う男性（男児）用として兼用することもできる。  
【産業上の利用可能性】
【００６９】
本発明のリバーシブルシャツ１は、Ａ面を表にして着用しても、裏返してＢ面を表にして着用しても、左前身頃を上にして着用しても、右前身頃を上にして着用しても、必要なボタンを取り出して使うことができて、不要なボタンを隠すことができて、各ボタンを対応する各ボタン穴に留めて着用しても、一部のボタンをはずして着用しても、外観上、自然で、違和感がない。  
男女兼用にもできる。（図１、図２、参照。）  
【００７０】
片面が防水、あるいは、撥水の布地で仕立てられ、共地のリバーシブル帽子をポケットに入れておけば、散歩や買い物時の急な雨にも対応できる。  
ご夫婦、親子様、祖父母様とお孫様、等、とのペアルックが楽しめる。  
Ａ面からＢ面へ裏返して着用できて、好みのボタンを取り出して使用することができて、不要なボタンは隠されて、変化が楽しめる。
男女兼用にできる。  
【符号の説明】
【００７１】
１．  リバーシブルシャツ
２．  襟羽
３．  衿台
４．  衿台左
５．  衿台左ボタン穴
６．  衿台左天ボタン
７．  衿台右
８．  衿台右ボタン穴
９．  衿台右天ボタン
１０．ヨーク
１１．後身頃
１２．上前身頃
１３．上前立
１４．上前立ボタン穴
１５．上前立ボタン穴取付けボタン
１６．下前身頃
１７．下前立
１８．下前立ボタン穴
１９．下前立ボタン穴取付けボタン
２０．ポケット
２１．筒袖
２２．筒袖襞裏補強布地
２３．上手口
２４．上手口小ボタン穴
２５．下手口
２６．下手口小ボタン
２７．カフス
２８．カフスボタン穴
２９．カフスボタン
３０．下手口小ボタン出し入れ穴
３１．カフスボタン出し入れ穴
３２．ボタン取付台
３３．ボタン選択穴
３４．アキミセ  
【要約】
【課題】Ａ面、Ｂ面、共に、外観上、自然で、違和感がないリバーシブルシャツを提供する。
【解決手段】Ａ面、Ｂ面、共に、衿台左右ボタン穴（５、８）と上下前立ボタン穴（１４、１８）と上手口小ボタン出し入れ穴３０とカフスボタン出し入れ穴３１を開け、各穴縁をＡ面、Ｂ面、別々にかがり、各穴かがり部分の間にボタン取付台３２を綴じ込み、複数のボタンを取付け、必要なボタンを取り出し、不要なボタンを隠す。各穴を開けた部分の隣接部分の一部を縫合せず、ボタン選択穴３３を開け、指が入り、ボタンを選択しやすくする。カフスボタン出し入れ穴３１開き部分と下手口２５のＡ面とＢ面を重ねて仕立て、カフスボタン穴２８開き部分と上手口２３のＡ面とＢ面を別々に仕立て、同部分で、重ねて仕立てた部分を挟む形の仕立てにより、Ａ面、Ｂ面、共に、外観上、自然で、違和感がない。男女兼用にもできる。
【選択図】図７【図１】
0005834316.tif 000002
【図２】
0005834316.tif 000003
【図３】
0005834316.tif 000004
【図４】
0005834316.tif 000005
【図５】
0005834316.tif 000006
【図６】
0005834316.tif 000007
【図７】
0005834316.tif 000008
【図８】
0005834316.tif 000009
【図９】
0005834316.tif 000010
【図１０】
0005834316.tif 000011
【図１１】
0005834316.tif 000012
【図１２】
0005834316.tif 000013